(57)【要約】【課題】本発明は、書籍や文書などをめくるため、人差し指や親指等に装着する指サックに関するものであり、特に、長時間使用しても指がむれず、かつデザイン性に優れた指サックを提供することを目的とするのもである。【解決手段】本発明は、先端部分を有さず、ゴムや樹脂によって、円環状に構成された指サックであって、その側面のうち少なくとも、装着する指の爪に対向する部分を除いて、波打つような形状であることを特徴とするものである。【選択図】    図１
2014223760.tif 000002
【特許請求の範囲】
【請求項１】
円環状に構成された指サックであって、その側面のうち少なくとも、指の腹に対向する部分が波打つような形状であることを特徴とする指サック。
【請求項２】
装着する指の爪に対向する部分が均一な円形状であることを特徴とする請求項１項記載の指サック。
【請求項３】
前記均一な円形状の部分に装飾物が設けられていることを特徴とする特徴とする請求項２項記載の指サック。
【請求項４】
装飾物を形成する工程と、側面が波打つ形状の指サック本体を形成するための金型に前記装飾物を配置して指サックをインサート成型する工程とからなる指サックの製造方法。
【発明の詳細な説明】
【技術分野】
【０００１】
本発明は、人差し指や親指等に装着して、紙をめくる指サックに関するものであり、特に、指がむれずに、長時間使用可能であり、かつデザイン性に優れた指サックに関するものである。
【背景技術】
【０００２】
多数の書類や紙幣などを確実に、かつ素早くめくるために、指サックが用いられている。
この指サックを用いるような場合は、大量の紙をめくることが多く、通常長時間使用することになる。
【０００３】
一方、指サックは指の素早い動作にも追従するように、指にフィットするような形状でかつ、通気性の悪いゴム材などで形成されている。
このため、指サックを装着した指は汗をかき、蒸れてしまうことが多かった。
このような蒸れの対策として、例えば、下記の特許文献１には、指サックの先端と側面に通気用の穴を設けることが記載されている。
また、特許文献２には長い爪の人でも使用できるように、爪が対向する部分などに開口を設けることが示されている。
【０００４】
【特許文献１】特開２００３−９４８６１号
【特許文献２】特開平8−５２９６０号
【発明の開示】
【発明が解決しようとする課題】
【０００５】
上述の従来の指サックは、いずれも、むれ対策として一定の効果を有しているものの、十分ではない。
それは、これらの指サックは指に密着するものであり、一定の通気口があるにしても、指サックと指との接触面積が大きいためである。
【０００６】
また、従来の指サックは、紙のめくりを確実にするために、その表面に細かい突起を複数形成してあり、見た目の美しさといったデザイン性を殆ど考慮しておらず、商品としての魅力に乏しいものとなっている。
【課題を解決するための手段】
【０００７】
本発明は、請求項１に記載するように、円環状に構成された指サックであって、その側面のうち少なくとも、指の腹に対向する部分が波打つような形状であることを特徴としている。
また、請求項２に記載するように、装着する指の爪に対向する部分が均一な円形状であることを特徴としている。
また、請求項３に記載するように、前記均一な円形状の部分に装飾物が設けられていることを特徴としている。
【０００８】
更に、請求項４に記載するように、装飾物を形成する工程と、側面が波打つ形状の指サック本体を形成する金型に前記装飾物を配置して指サックをインサート成型する工程とによって指サックを製造することを特徴としている。
【発明の効果】
【０００９】
本発明は波打つような形状の側面を有することで、指サックとこれを装着する指との接触面積が小さくなると共に、指と指サックとの間に大きな通気路が形成されるため、長時間使用しても指が蒸れにくくなる。
また、波打つ形状が、従来の細かい突起と同様に、紙との摩擦力を生じるため細かい突起を形成することなく、確実に紙をめくることが可能となる。更に、見た目に楽しい装飾物を配置することが可能となり、デザイン性が向上する。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例の指サックの斜視図である。
この指サック１は、指の先端が露出するような、円環状の形状を成している。尚、この指サックの厚さは厚さ０．５ミリメートル程度である。
そして、この指サック１の側面は、均一な円形状ではなく、蛇腹状に、波打つような形状２を構成している。
この波打つ形状の外側に突出している部分３は、使用時に紙に接触して紙をめくる操作に用いられるが、その内側４は装着される指には接触しにくく、通気路となる。また、接触したとしても、紙との接触が解除された後、すぐに形状が復元され、通気孔となる。
波打つ形状２の内側に突出している部分５は、装着する指に接触し、この部分のみによって、指サック１は指に固定される。
尚、装着される指の形状に合わせて、指先方向に徐々に直径が減少するような寸法形状となっている。
【００１２】
この波打つような形状２は、伸縮するため、装着する指がある程度大きくても、使用可能となる。したがって、この実施例の指サックは従来の円形状の指サックに比べて、使用者の指への適応サイズは極めて広いものとなっている。
尚、この指サック１はゴム材で形成されているため、指との摩擦係数は大きく、装着される指が小さい場合でも使用中に外れることはない。
【００１３】
図２に第２の実施例の指サックを示す。
この指サック１は、指の腹に対向する部分のみに波打つ形状２が設けられ、爪に対向する部分は均一な円形状６となっている。
これは、波打つ形状２は紙をめくるためのものであり、かつ指との間に通気路を形成してむれを低減するためのものであるため、爪に対向する部分には本来的に不必要だからである。
【００１４】
尚、図３に示すように、爪に対向する均一な円形状部分６の中央付近に設けられた台座に装飾物７を固着してもよい（第３の実施例）。
この装飾物７を設けた指サックは、見た目に楽しくなり、商品の魅力が向上する。
また、この装飾物７を設けることによって、指サックの正しい装着方向を使用者に知らせることができる。
【００１５】
この装飾物７を設けた指サックは、インサート成形法によって製造されるが、その製造方法を図４を用いて説明する。
装飾物を、金型を用いて製造する（工程１）。
この装飾物を、指サック形成用の金型に配置する（第２工程）。
金型に加熱したゴム材を流し込み圧縮加硫成形する（第３工程）。
【００１６】
このインサート成形方法によれば、種類の異なる複数の材料や、種類の異なる複数の形状の装飾物を設けた指サックであっても、それぞれの指サック用の金型を必要とすることなく、指サック用の金型は１つだけでよい。
したがって、多品種の指サックを低コストで製造することが可能となる。
【００１７】
また、このインサート成形法を用いることによって、例えば、指サック本体は黄色、装飾物は青色というように、異なる色彩の指サックを製造することが可能となり、デザインの自由度が向上する。
【００１８】
尚、本実施例の指サックは、従来の指に全面を密着させる指サックに比べると、接触面積が少ないという構造上、指から外れやすい。
このため、指サックの側面全体に渡って波打つ凹凸形状を設ける場合は、波打つ凹凸形状は、８つ以上が好ましい。
装着する指の腹が対向する部分にのみ波打つ凹凸を設ける場合は、波打つ形状の凹凸は、２つ以上が好ましい。
【００１９】
また、図５に示すように、指サックを上から押し付けて平坦にした場合の寸法は、本実施例装置の場合は、指先方向である先端側は２センチメートル、後端側は２．５センチメートル、幅は１．３センチメートルである。
【００２０】
本発明は、上記実施例に限定されるものではなく、例えば、指サック本体及び装飾物の外形、寸法は種々変更可能である。
また、更に通気性を高めるために、複数の細かい開口を設けてもよい。
【産業上の利用可能性】
【００２１】
本発明は、長時間使用しても、指が蒸れることがなく、またデザイン性に優れた指サックを提供するものである。
【図面の簡単な説明】
【００２２】
【図１】図１は、本発明の第１の実施例の指サックを示す斜視図である。
【図２】図２は、本発明の第２の実施例の指サックを示す斜視図である。
【図３】図３は、本発明の第３の実施例の指サックを示す斜視図である。
【図４】図４は、本発明の第３の実施例の指サックを製造するための工程図である。
【図５】図５は、本発明の第１の実施例の寸法を説明するための図である。
【符号の説明】
【００２３】
１：指サック
２：波打つ形状
６：均一な円形状部分
７：装飾物
【図１】
2014223760.tif 000003
【図２】
2014223760.tif 000004
【図３】
2014223760.tif 000005
【図４】
2014223760.tif 000006
【図５】
2014223760.tif 000007